(57)【要約】      （修正有）【課題】先端に灯具を搭載した水平なポストの接合部の破断を防止して灯具の落下を防止できる照明器具を提供する。【解決手段】先部に灯具２５を有し水平に延びる支持アーム２０を、第１アーム部２１と第２アーム部２２とで構成し、第１アーム部２１に設けられた第１接合部２３と、第２アーム部２２に設けられた第２接合部２４とを接合する。第１接合部２３の一端２３１と第２接合部２４の一端２４１とを第１固定部２６で固定するとともに、第１接合部２３の他端２３２と第２接合部２４の他端２４２とを固定する第２固定部３１を設ける。第２固定部３１は、一定の力が加わると第１接合部２３の他端２３２と第２接合部２４の他端２４２とが離隔するように固定されているので、支持アーム２０に過大な力が作用した際に離隔することにより、第１アーム部２１および第２アーム部２２の破断を防止する。【選択図】図１
2012113926.tif 000002
【特許請求の範囲】
【請求項１】
先部に灯具を設けることが可能な水平に延びる支持アームを有し、
前記支持アームが、第１アーム部と、第２アーム部と、前記第１アーム部に設けられた第１接合部と、前記第２アーム部に設けられた第２接合部と、
前記第１接合部の一端と前記第２接合部の一端とを固定する第１固定部と、
前記第１接合部の他端と前記第２接合部の他端とを固定する第２固定部と、を有し、
前記第２固定部は、一定の力が加わると前記第１接合部の他端と前記第２接合部の他端とが離隔するように固定する照明器具。
【請求項２】
請求項１に記載の照明器具において、
前記第１接合部の他端と前記第２接合部の他端との離隔を検知する検知部と、
前記検知部により前記離隔が検知されたことを報知する報知部と、を有する照明器具。
【請求項３】
請求項１または請求項２に記載の照明器具において、
前記第２固定部は、前記第１接合部の他端と前記第２接合部の他端との離隔距離を規制する規制ボルトを有する照明器具。
【発明の詳細な説明】
【技術分野】
【０００１】
本発明は，張り出した先端に灯具を支持する支持アームを有する照明器具に関するものである。
【背景技術】
【０００２】
従来より、水平方向に張り出した支持アームの先端に灯具を有する照明器具が知られている（例えば、特許文献１参照）。
図８に示すように、例えば従来の道路照明灯１００においては、鉛直に立設された支柱１０１の先端を水平方向へ屈曲させて、その先端に灯具１０２を取り付けるのが一般的である。
この道路照明灯１００では、支柱１０１と灯具１０２とを接続するための接続管１０３と、接続管１０３の内径よりも大きな径を有し支柱１０１の内径部に置かれる孔あき円板１０４と、その孔あき円板１０４に接続されるワイヤ１０５とからなる落下防止具１０６を有し、ワイヤ１０５の先端は灯具１０２に固定される。
これにより、灯具１０２が接続管１０３から脱落しても、孔あき円板１０４が接続管１０３で止められるので、灯具１０２の落下を防ぐことができる。
【先行技術文献】
【特許文献】
【０００３】
【特許文献１】実用新案登録第３１２０８４３号公報（第２図）
【発明の概要】
【発明が解決しようとする課題】
【０００４】
ところで、前述したような道路照明灯１００において、灯具１０２の重量が大きく、鉛直な支柱１０１からの張り出し長さが大きくなると、前述した支柱１０１の構造では、製作上および施工上に問題があるため、一般に、図９に示すような支柱の構造を採る場合がある。
図９に示すように、この照明器具１１０では、支柱の鉛直部（図示省略）から水平方向へ張り出した水平部１１１の先端に、重量物である灯具１１２を支持するものである。この場合、水平部１１１を分割して水平部１１１Ａ、１１１Ｂとし、接合面に各々接合板１１３，１１４を取付け、接合板１１３，１１４間をボルト１１５およびナット１１６で接合する。
【０００５】
しかしながら、このような照明器具１１０においては、灯具１１２の重量が大きくなったり、張り出し量が大きくなると、接合板１１３，１１４の間の上部が離れて、さらには接合板１１３，１１４間が剥離して灯具１１２が落下するおそれがあるという問題があった。
【０００６】
本発明は、従来の問題を解決するためになされたもので、先端に灯具を搭載した水平なポストの接合部の破断を防止して灯具の落下を防止できる照明器具を提供することを目的とする。
【課題を解決するための手段】
【０００７】
本発明の照明器具は、先部に灯具を設けることが可能な水平に延びる支持アームを有し、前記支持アームが、第１アーム部と、第２アーム部と、前記第１アーム部に設けられた第１接合部と、前記第２アーム部に設けられた第２接合部と、前記第１接合部の一端と前記第２接合部の一端とを固定する第１固定部と、前記第１接合部の他端と前記第２接合部の他端とを固定する第２固定部と、を有し、前記第２固定部は、一定の力が加わると前記第１接合部の他端と前記第２接合部の他端とが離隔するように固定するものである。
【０００８】
また、本発明の照明器具は、前記第１接合部の他端と前記第２接合部の他端との離隔を検知する検知部と、前記検知部により前記離隔が検知されたことを報知する報知部と、を有するものである。
【０００９】
さらに、本発明の照明器具は、前記第２固定部は、前記第１接合部の他端と前記第２接合部の他端との離隔距離を規制する規制ボルトを有するものである。
【発明の効果】
【００１０】
本発明は、先部に灯具を有し水平に延びる支持アームを構成する第１アーム部の第１接合部の一端と、第２アーム部の第２接合部の一端とを第１固定部で固定するとともに、第１接合部の他端と第２接合部の他端とを固定する第２固定部を設ける。第２固定部は、一定の力が加わると第１接合部の他端と第２接合部の他端とが離隔するように固定されているので、第１アーム部と第２アーム部との接合は、無理に抵抗せずに隙間を空ける。これにより予告することができ、灯具の落下を防止する対策を講じることができるという効果を有する照明器具を提供できる。
【図面の簡単な説明】
【００１１】
【図１】本発明に係る実施形態の照明器具の要部を示す正面図
【図２】支持アームの接合板間の離間を検知するシステムを示す説明図
【図３】支持アームの接合板間の離間を検知するシステムを示すブロック図
【図４】第２固定部の具体例を示す断面図
【図５】第２固定部の別の例を示す断面図
【図６】第２固定部のさらに別の例を示す断面図
【図７】第２固定部のさらに別の例を示す断面図
【図８】従来の照明器具の断面図
【図９】従来の張り出し長が大きな照明器具の断面図
【発明を実施するための形態】
【００１２】
以下、本発明に係る実施形態の照明器具について、図面を用いて説明する。
図１に示すように、本発明に係る実施形態の照明器具１０は、鉛直な支柱（図示省略）から水平方向に片持ち状に延びる支持アーム２０を有する。支持アーム２０は、第１アーム部である基端側アーム部材２１と、第２アーム部である先端側アーム部材２２を有する。
【００１３】
基端側アーム部材２１の先端には、第１接合部である基端側接合板２３が溶接により強固に取り付けられている。また、先端側アーム部材２２の基端には、第２接合部である先端側接合板２４が溶接により強固に取り付けられており、先端（先部）には重量物である灯具２５が取り付けられている。
【００１４】
基端側接合板２３の一端である下端部２３１と、先端側接合板２４の一端である下端部２４１とは、第１固定部２６で接合されている。第１固定部２６は、基端側接合板２３の下端面および先端側接合板２４の下端面を下側から支持する支持板２７と、下側ボルト２８および下側ナット２９を有する。
なお、支持板２７は、基端側接合板２３の下端面または先端側接合板２４の下端面に、溶接により強固に取り付けられている。
【００１５】
基端側接合板２３と先端側接合板２４とは、上側ボルト３２および上側ナット３３によりしっかりと締結されており、先端側アーム部材２２に下向きの一定以上の力が作用しない限り、基端側接合板２３と先端側接合板２４とは離間しない。
なお、ここで、一定の力としては、支持アーム２０を破損させる力以下に設定するのが望ましい。
【００１６】
さらに、基端側接合板２３の他端である上端部２３２と、先端側接合板２４の他端である上端部２４２との間には、第２固定部３１が設けられている。第２固定部３１は、基端側接合板２３の上端部２３２および先端側接合板２４の上端部２４２を一定距離だけ離間可能に保持するものである。
【００１７】
図２に示すように、基端側接合板２３の上端部２３２と、先端側接合板２４の上端部２４２との間には、両上端部２３２，２４２間の離隔を検知する検知部として例えばリミットスイッチのようなセンサ３４が設けられている。
【００１８】
図３にも示すように、センサ３４は、灯具２５に収容されている制御部３５に接続されている。制御部３５には、センサ３４からの検知信号を受けて音や光等で知らせる報知部３６が接続されている。
報知部３６としては、例えば灯具２５を用いて点滅等することにより報知することができる。あるいは、警報を発する警報装置等を別個に設けることもできる。
【００１９】
図４には、第２固定部３１の具体例を示している。
この第２固定部３１Ｂでは、基端側接合板２３および先端側接合板２４を貫通する貫通孔２３３，２４３を設け、貫通孔２３３，２４３を貫通するボルト３７およびナット３８を取り付ける。
このとき、基端側接合板２３と先端側接合板２４との間の許容離間距離Ｌだけボルト３７およびナット３８が移動できるように、かつ緩まないように締結する。
【００２０】
図５には、第２固定部３１の別の例を示している。
この第２固定部３１Ｃでは、基端側接合板２３および先端側接合板２４を貫通する貫通孔２３３，２４３を設け、貫通孔２３３，２４３を通るスクリュージョイント３９を取り付ける。
このとき、基端側接合板２３と先端側接合板２４との間の許容離間距離は、スクリュージョイント３９の長さで設定することができる。
【００２１】
図６には、第２固定部３１のさらに別の例を示している。
この第２固定部３１Ｄでは、基端側接合板２３の上端部２３２および先端側接合板２４の上端部２４２を覆う規制部材４１を取り付ける。
規制部材４１は例えば断面コ字状をしており、一方のフランジ４１１を基端側接合板２３および先端側接合板２４の一方に溶接等で固定し、他方のフランジ４１２は、基端側接合板２３および先端側接合板２４の他方と許容離間距離Ｌの間隔を保持する。
【００２２】
図７には、第２固定部３１のさらに別の例を示している。
この第２固定部３１Ｅでは、前述した第２固定部３１Ｄの規制部材４１に代わって、二つの断面Ｌ字状の部材４２１，４２２を接合して形成した規制部材４２を用いている。
その他の構成は、前述した第２固定部３１Ｄと同様である。
【００２３】
以上、説明した本発明に係る実施形態の照明器具１０によれば、先部に灯具２５を有し水平に延びる支持アーム２０を、基端側アーム部材２１と先端側アーム部材２２とで構成し、基端側アーム部材２１に設けられた基端側接合板２３と、先端側アーム部材２２に設けられた先端側接合板２４とを接合する。このとき、基端側接合板２３の下端部２３１と先端側接合板２４の下端部２４１とを第１固定部２６で固定するとともに、基端側接合板２３の上端部２３２と先端側接合板２４の上端部２４２を固定する第２固定部３１を設ける。
第２固定部３１は、一定の外力が加わると基端側接合板２３の上端部２３２と先端側接合板２４の上端部２４２とが離隔するように固定されているので、支持アーム２０に過大な力が作用した際に離隔することにより、基端側アーム部材２１および先端側アーム部材２２の破断を防止する。
これに伴い、過大な外力が作用したことを予告することができ、灯具２５の落下を防止する対策を講じることができる。
【００２４】
また、基端側接合板２３の上端部２３２と先端側接合板２４の上端部２４２との離隔を検知するセンサ３４と、センサ３４により離隔が検知されたことを報知する報知部３６と、を有するので、過大な外力が作用したことを報知することができ、灯具２５の落下を防止する対策を講じることができる。
【００２５】
さらに、第２固定部３１は、基端側接合板２３の上端部２３２と先端側接合板２４の上端部２４２との離隔距離Ｌを規制する規制ボルト３７を有するので、基端側接合板２３の上端部２３２と先端側接合板２４の上端部２４２とは、一定以上離隔しない。これにより、灯具２５が地面等に衝突して破損するのを防止できる。
【００２６】
なお、本発明の照明器具は、前述した実施形態に限定されるものでなく、適宜な変形，改良等が可能である。
【符号の説明】
【００２７】
１０  照明器具
２０  支持アーム
２１  基端側アーム部材（第１アーム部）
２２  先端側アーム部材（第２アーム部）
２３  基端側接合板（第１接合部）
２３１  下端部（一端）
２３２  上端部（他端）
２４  先端側接合板（第２接合部）
２４１  下端部（一端）
２４２  上端部（他端）
２５  灯具
２６  第１固定部
３１，３１Ｂ，３１Ｃ、３１Ｄ、３１Ｅ  第２固定部
３４  センサ（検知部）
３６  報知部
３７  規制ボルト
【図１】
2012113926.tif 000003
【図２】
2012113926.tif 000004
【図３】
2012113926.tif 000005
【図４】
2012113926.tif 000006
【図５】
2012113926.tif 000007
【図６】
2012113926.tif 000008
【図７】
2012113926.tif 000009
【図８】
2012113926.tif 000010
【図９】
2012113926.tif 000011